(57)【要約】【課題】分析データに異常がある場合に、分析装置の使用者が異常内容を容易かつ迅速に確認することができる分析装置を提供する。【解決手段】この発明の分析装置は、検体から測定データを得る測定機構部と、測定機構部で得られた測定データを分析し分析データを得るとともに分析データの異常の有無を判断する制御部と、制御部によって得られた分析データを表示する表示手段と、制御部に信号を入力する入力手段とを備え、制御部は、入力手段からの入力信号に応じて分析データの異常の説明を表示手段に表示させる。【選択図】        図２
2004257740.tif 000002
【特許請求の範囲】
【請求項１】
検体から測定データを得る測定機構部と、
測定機構部で得られた測定データを分析し分析データを得るとともに分析データの異常の有無を判断する制御部と、
制御部によって得られた分析データを表示する表示手段と、
制御部に信号を入力する入力手段とを備え、
制御部は、入力手段からの入力信号に応じて分析データの異常の説明を表示手段に表示させる分析装置。
【請求項２】
制御部は、測定データを分析し分析データを得る分析部と、分析データの異常の有無を判断する異常判断部と、分析データに異常があると判断した場合に分析データの異常を使用者に知らせる異常マークを表示手段に表示させる異常マーク表示部と、異常マークに関連する領域を選択待受領域として設定する選択待受領域設定部と、異常マークとその異常マークの説明が対応付けられた異常マークテーブルを記憶する異常マークテーブル記憶部と、選択待受領域を選択する信号が入力手段から入力されると選択待受領域に関連する異常マークの説明を異常マークテーブルから抽出して表示手段に表示させる説明表示部とを含む請求項１記載の分析装置。
【請求項３】
制御部は、異常の説明を表示する分析データと重ならないように説明を表示手段に表示させる請求項１または２に記載の分析装置。
【請求項４】
説明は、検体の異常状態に関する説明である請求項１または２に記載の分析装置。
【請求項５】
説明は、対処方法に関する説明である請求項１または２に記載の分析装置。
【請求項６】
説明は、分析データに異常有りと判断した基準に関する説明である請求項１または２に記載の分析装置。
【請求項７】
異常判断部は分析データの異常の種類を判断し、異常マーク表示部は異常の種類ごとに異なる異常マークを表示手段に表示させる請求項２記載の分析装置。
【請求項８】
異常判断部が１つの分析データに対して複数種類の異常があると判断した場合には、異常マーク表示部は複数の異常マークを表示手段に表示させ、選択待受領域設定部はそれら複数の異常マークに関連する１つの選択待受領域を設定し、説明表示部は設定された選択待受領域を選択する信号が入力手段から入力されると選択された選択待受領域に関連するすべての異常マークの説明を表示手段に表示させる請求項７記載の分析装置。
【請求項９】
異常マークテーブルには、１つの異常マークに対して複数の説明が対応付けられており、制御部は、複数の説明のうちいずれの説明を表示するかの選択を可能とする表示説明選択部をさらに備える請求項２記載の分析装置。
【請求項１０】
制御部は、異常マークテーブルの編集を可能とする説明作成部を備える請求項２記載の分析装置。
【請求項１１】
制御部は、表示手段に表示させた説明を分析データとともに印刷するよう設定する印刷画面設定部を備える請求項１記載の分析装置。
【請求項１２】
分析装置は臨床検査装置である請求項１〜１１のいずれか１つに記載の分析装置。
【請求項１３】
検体から測定データを得る測定機構部と、
測定機構部で得られた測定データを分析し分析データを得るとともに分析データの異常の有無を判断する制御部と、
制御部によって得られた分析データを表示する表示手段と、
制御部からの指示に応じて音声を出力する音声出力手段と、
制御部に信号を入力する入力手段とを備え、
制御部は、入力手段からの入力信号に応じて分析データの異常の説明を音声出力手段に出力させる分析装置。
【請求項１４】
制御部は、測定データを分析し分析データを得る分析部と、分析データの異常の有無を判断する異常判断部と、分析データに異常があると判断した場合に分析データの異常を使用者に知らせる異常マークを表示手段に表示させる異常マーク表示部と、異常マークに関連する領域を選択待受領域として設定する選択待受領域設定部と、異常マークとその異常マークを説明するための音声データが対応付けられた異常マークテーブルを記憶する異常マークテーブル記憶部と、選択待受領域を選択する信号が入力手段から入力されると選択待受領域に関連する音声データを異常マークテーブルから抽出して音声出力手段に音声として出力させる音声出力部とを含む請求項１３記載の分析装置。
【発明の詳細な説明】
【０００１】
【発明の属する技術分野】
本発明は分析装置に関し、特に、異常マークの説明の表示や音声出力を行う分析装置に関する。
【０００２】
【従来の技術】
この発明に関連する従来技術としては、次のようなものが知られている。
【０００３】
試料の特性の測定、及び測定データの解析を行う分析装置において、オペレータからの入力とオペレータへの出力を行うユーザインターフェイス手段と、測定時に使用する測定情報、解析時に使用する解析情報、及びそれら測定情報や解析情報に対応するコメント等からなる分析情報と、分析情報を記憶する分析情報記憶手段と、分析情報をユーザインターフェイス手段に対して可視的に表示することを指示する分析情報表示指示手段と、オペレータがユーザインターフェイス手段を通じて分析情報に対してコメントを作成及び編集することができるコメント作成手段と、ユーザインターフェイス手段に表示されている複数の分析情報の中から、オペレータが任意の分析情報を選択することができる分析情報選択手段と、オペレータが分析情報選択手段によって任意の分析情報を選択したとき、もしくは選択しようとしたときを感知して通知する選択感知手段と、選択感知手段からの通知を受けて、選択された分析情報に対応するコメントを分析情報記憶手段から取り出し、ユーザインターフェイス手段に表示することを指示するコメント表示指示手段と、を備えることを特徴とする分析装置（例えば、特許文献１参照）。
【０００４】
【特許文献１】
米国特許出願公開第２００２／００５４０５５号明細書
【０００５】
【発明が解決しようとする課題】
分析装置において、得られた分析データに異常がある場合、その旨がディスプレイに表示される。この表示は、異常内容を説明する説明文を表示するのではなく、「！」、「＊」、「ＷＬ」、「ＷＵ」などのマーク（異常マーク）を表示することによってなされるのが一般的である（例えば、ＫＸ−２１（シスメックス株式会社製）で実現されている）。ディスプレイの表示領域には限界があり、説明文を全て表示させることは難しいからである。そしてこれらの異常マークの説明は分析装置の取扱説明書などに記載されている。
従って、異常マークの意味を知らない分析装置の使用者は、異常マークが表示されるとその都度、取扱説明書を開いて確認しなければその意味を知ることができなかった。取扱説明書による確認作業は使用者にとって非常に煩雑なものである。
【０００６】
特に、分析装置が血液分析装置、尿分析装置などの生体試料分析装置の場合、使用者はウイルスへの感染防止用の手袋をしているため、取扱説明書を開く場合にはその手袋を外す必要がある。手袋の着脱は非常に煩雑であるとともに、手袋は一般的に使い捨てのものであるため、一度外したら新しいものと取り替える必要があり、非効率であった。
また、分析データの異常内容は迅速に使用者が理解する必要があるが、取扱説明書を使って確認していたのでは時間がかかってしまう。分析装置が臨床検査装置である場合には、検査結果を迅速に医師等に報告する必要があるため、特に迅速に異常内容を確認する必要がある。
【０００７】
例えば、上記特許文献１には、解析情報などが選択されると対応するコメントが表示される分析装置が開示されている。
しかし、上記特許文献１記載の分析装置は、解析情報に対応するコメントを使用者が作成して入力するものであり、取扱説明書に記載されている分析データの異常内容を表示する旨の記載はなく、上記の課題を解決するものではない。
また、上記特許文献１記載の分析装置は、解析情報の上にコメントが重なって表示されるため（例えば、特許文献１の図９参照）、コメントを表示させると解析情報が見えなくなり使いにくいという問題もあった。
この発明は、分析データに異常がある場合に、分析装置の使用者が異常内容を容易かつ迅速に確認することができる分析装置を提供するものである。
【０００８】
【課題を解決するための手段】
上記課題を解決するため、この発明は、検体から測定データを得る測定機構部と、測定機構部で得られた測定データを分析し分析データを得るとともに分析データの異常の有無を判断する制御部と、制御部によって得られた分析データを表示する表示手段と、制御部に信号を入力する入力手段とを備え、制御部は、入力手段からの入力信号に応じて分析データの異常の説明を表示手段に表示させる分析装置を提供する。
【０００９】
【発明の実施の形態】
検体としては、例えば、血液、尿などの生体試料、人間や動物の体、食品や飲料などが挙げられるがこれらに限定されるものではない。
制御部は、測定データを分析し分析データを得る分析部と、分析データの異常の有無を判断する異常判断部と、分析データに異常があると判断した場合に分析データの異常を使用者に知らせる異常マークを表示手段に表示させる異常マーク表示部と、異常マークに関連する領域を選択待受領域として設定する選択待受領域設定部と、異常マークとその異常マークの説明が対応付けられた異常マークテーブルを記憶する異常マークテーブル記憶部と、選択待受領域を選択する信号が入力手段から入力されると選択待受領域に関連する異常マークの説明を異常マークテーブルから抽出して表示手段に表示させる説明表示部とを含んでもよい。
【００１０】
異常判断部は、分析部によって得られた分析データが、同種の検体についての平均的な分析データと一定以上乖離している場合に分析データに異常有りと判断してもよい。
また、異常判断部は、分析部によって得られた分析データが所定範囲外にある場合に分析データに異常有りと判断してもよい。
また、異常判断部は、分析部が分析データを算出できなかった場合に分析データに異常有りと判断してもよい。
分析データの異常としては、測定機構部の動作が正常に行われなかったことに起因する異常や、検体の性質や状態に起因する異常などが挙げられる。
異常マークは、分析装置の使用者に注意喚起をさせるために表示されるものであり、アイコン、記号、数字、１〜４文字程度のアルファベットなど表示スペースが小さいものが好ましい。
【００１１】
制御部は、制御部は、異常の説明を表示する分析データと重ならないように説明を表示手段に表示させることが好ましい。
説明としては、分析データに異常が有ると判断した基準、検体の異常状態、対処方法に関する説明などが挙げられる。検体の異常状態としては、検体の性質、劣化状態、処理状態などが挙げられる。対処方法とは、分析装置の使用者が取りうる措置のことであり、「再検査する」、「別の分析装置で分析する」、「別の手法で分析する」などの措置が挙げられる。
【００１２】
異常判断部は分析データの異常の種類を判断し、異常マーク表示部は異常の種類ごとに異なる異常マークを表示手段に表示させることが好ましい。
異常判断部が１つの分析データに対して複数種類の異常があると判断した場合には、異常マーク表示部は複数の異常マークを表示手段に表示させ、選択待受領域設定部はそれら複数の異常マークに関連する１つの選択待受領域を設定し、説明表示部は設定された選択待受領域を選択する信号が入力手段から入力されると選択された選択待受領域に関連するすべての異常マークの説明を表示手段に表示させることが好ましい。
【００１３】
異常マークテーブルには、１つの異常マークに対して複数の説明が対応付けられており、制御部は、複数の説明のうちいずれの説明を表示するかの選択を可能とする説明選択部をさらに備えることが好ましい。
制御部は、異常マークテーブルの編集を可能とする説明作成部をさらに備えることが好ましい。
制御部は、表示手段に表示させた説明を分析データとともに印刷するよう設定する印刷画面設定部をさらに備えることが好ましい。
分析装置は臨床検査装置であることが好ましい。臨床検査装置としては、血液分析装置、尿分析装置などの生体試料分析装置、心音解析装置や血圧測定装置などが挙げられる。
【００１４】
またこの発明は、検体から測定データを得る測定機構部と、測定機構部で得られた測定データを分析し分析データを得るとともに分析データの異常の有無を判断する制御部と、制御部によって得られた分析データを表示する表示手段と、制御部からの指示に応じて音声を出力する音声出力手段と、制御部に信号を入力する入力手段とを備え、制御部は、入力手段からの入力信号に応じて分析データの異常の説明を音声出力手段に出力させる分析装置を提供する。
【００１５】
制御部は、測定データを分析し分析データを得る分析部と、分析データの異常の有無を判断する異常判断部と、分析データに異常があると判断した場合に分析データの異常を使用者に知らせる異常マークを表示手段に表示させる異常マーク表示部と、異常マークに関連する領域を選択待受領域として設定する選択待受領域設定部と、異常マークとその異常マークを説明するための音声データが対応付けられた異常マークテーブルを記憶する異常マークテーブル記憶部と、選択待受領域を選択する信号が入力手段から入力されると選択待受領域に関連する音声データを異常マークテーブルから抽出して音声出力手段に音声として出力させる音声出力部とを含んでもよい。
【００１６】
【実施例】
以下、図面に示す実施例に基づいて本発明を説明する。
分析装置の構成
図１はこの発明の分析装置を説明するための斜視図である。
分析装置１は、血液を分析して赤血球数、白血球数などを算出する血球計数装置である。分析装置１には、廃液を収容する廃液容器１０１、希釈液を収容する希釈液容器１０２および溶血剤を収容する溶血剤容器１０３を組み合わせて収納する容器収納ユニット１００が接続されている。なお、希釈液、溶血剤としては例えば、セルパック（シスメックス株式会社製）、ストマトライザーＷＨ（シスメックス株式会社製）が使用できる。
分析装置１は、信号の入力を受け付ける入力手段と情報の表示を行う出力手段を兼ねるタッチパネル方式のディスプレイ２、分析データの印刷を行うプリンタ４、血液を収容した検体容器をその内部にセットすることによって検体の吸引を行う検体吸引部６などからなる。図２を参照して分析装置１について更に説明する。
【００１７】
図２は、分析装置１の構成を説明するブロック図である。
分析装置１は、ディスプレイ２、プリンタ４、内部に血液を収容した検体容器がセットされると希釈液および溶血剤を使用して血液から測定用試料を作成し測定用試料から光学データ、電気データなどの測定データを得る測定機構部１２、測定機構部１２の動作を制御し、測定データを分析して分析データを得てディスプレイ２に表示させる制御部１０からなる。各部はＢＵＳで接続されている。
ディスプレイ２はタッチパネル方式の液晶ディスプレイであり、入力手段１４と表示手段１６から構成される。
制御部１０は、ＣＰＵ，ＲＯＭ，ＲＡＭなどからなるマイクロコンピュータで構成される。なお、この実施例では制御部１０と測定機構部１２は１台の分析装置に収納されているが、ディスプレイ２、制御部１０をパーソナルコンピュータで構成し、これに測定機構部１２を接続して１台の分析装置を構成してもよい。パーソナルコンピュータと測定機構部１２はネットワークを介して接続してもよい。
【００１８】
制御部１０は、検体番号取得部２０、分析部２２、異常判断部２４、動作制御部２６、デフォルト画面表示部２８、検体番号表示部３０、異常表示部３２、分析データ表示部４０、選択待受領域設定部４２、説明表示部４４、説明文作成部５８、説明文選択部６０および印刷画面設定部６２からなるＣＰＵ，ＲＯＭ，ＲＡＭ、表示テーブル記憶部６４および異常判断テーブル記憶部７２からなるＲＯＭ，ＲＡＭ、ＨＤＤから構成される。
検体番号取得部２０は、ディスプレイ２から入力された検体番号（ＩＤ）を一時的に記憶する。検体番号は分析装置１の使用者によってディスプレイ２から入力してもよいし、検体容器にバーコードを貼付しておき、このバーコードをバーコードリーダ（図示せず）で読み取って入力してもよい。
分析部２２は、検出部８によって得られる電気データおよび光学データから分析データを算出する。この実施例において分析データは、赤血球数（ＲＢＣ）、白血球数（ＷＢＣ）、ヘモグロビン量（ＨＧＢ）、ヘマトクリット値（ＨＣＴ）、血小板数（ＰＬＴ）、平均赤血球容積（ＭＣＶ），平均赤血球色素量（ＭＣＨ）および平均赤血球色素濃度（ＭＣＨＣ）である。
異常判断部２４は、分析部２２が各分析データを算出する際に、各分析データの異常の有無および異常の種類を決定する。異常判断の方法については後述する。
【００１９】
動作制御部２６は、測定機構部１２の各部の動作を指示するプログラムを記憶し、実行させるＣＰＵ，ＲＯＭ，ＲＡＭ、ドライバなどから構成され、測定機構部１２の動作を制御する。
デフォルト画面表示部２８は、図３に示すデフォルト画面をディスプレイ２に表示させる。
検体番号表示部３０は、検体番号取得部２０が一時的に記憶している検体番号をディスプレイ２に表示させる。図４はこのときの表示画面である（検体番号（ＩＤ）として「１２３４５」が表示されている）。
異常表示部３２は、粒度異常フラグ表示部３４、異常フラグ表示部３６、異常マスク表示部３８から構成され、異常判断部２４によって分析データに異常があると判断された場合に、ディスプレイ２に粒度異常フラグ、異常フラグおよび異常マスクを表示させる。なお、この実施例では粒度異常フラグ、異常フラグ、異常マスクはいずれも異常マークである。
【００２０】
分析データ表示部４０は、分析部２２によって算出された分析データをディスプレイ２に表示させる。
図５は粒度異常フラグ、異常フラグ、異常マスクおよび分析データが表示された表示画面である。この画面において、９０は粒度異常フラグ、９２は異常フラグ、９４は異常マスクまたは分析データを表示する領域である。なお、領域９０、９２、９４を示す破線は説明のためのものであり、実際は表示されない。
選択待受領域設定部４２は、粒度異常フラグ、異常フラグおよび異常マスクが表示されている領域を含む領域を選択待受領域として設定する。図６は選択待受領域を説明するための説明図であり、９６，９８，１００は選択待受領域を示す。この実施例では、選択待受領域は粒度異常フラグ、異常フラグおよび異常マスクのいずれかが表示されている領域を含み横方向に延長された領域となっている。選択待受領域は、この領域に限定されるものではなく、異常マークのみを含む領域であったり、ＷＢＣ，ＲＢＣなどの分析項目名のみを含む領域であったり、分析項目名の横に「！」などの注意喚起マークをさらに表示して、このマークのみを含む領域であったりしてもよく、異常マークと関連があると分析装置１の使用者が認識できる領域であればよい。
【００２１】
説明表示部４４は、選択判断部４６、枠表示部４８、枠表示領域判断部５０、説明文選択部５２、説明文表示部５４およびフォント設定部５６から構成され、使用者がいずれかの選択領域（９６，９８，１００）にタッチした場合に、その選択領域と関連する異常マークの説明文のすべてをディスプレイ２に表示させる。各部の機能については後述する。
表示テーブル記憶部６４は、粒度異常フラグテーブル６６、異常フラグテーブル６８および異常マスクテーブル７０を記憶する。図７に粒度異常フラグテーブル６６の内容を、図８に異常フラグテーブル６８の内容を、図９に異常マスクテーブル７０の内容を示す。粒度異常フラグテーブル６６には、１列目に粒度異常フラグ、２列目に検体の異常状態に関する説明、３列目に対処方法に関する説明が記憶されている。異常フラグテーブル６８には、１列目に異常フラグ、２列目に分析データに異常有りと判断した基準に関する説明が記憶されている。異常マスクテーブル７０には、１列目に異常マスク、２列目に分析データに異常有りと判断した基準に関する説明が記憶されている。
【００２２】
異常判断テーブル記憶部７２は、粒度異常フラグ判断テーブル７４、異常フラグ判断テーブル７６および異常マスク判断テーブル７８を記憶する。図１０に粒度異常フラグ判断テーブル７４の内容を、図１１に異常フラグ判断テーブル７６の内容を、図１２に異常マスク判断テーブル７８の内容を示す。粒度異常フラグ判断テーブル７４には、１列目に粒度異常フラグ、２列目に分析データに異常有りと判断する基準が記憶されている。異常フラグ判断テーブル７６には、１列目に異常フラグ、２列目に分析データに異常有りと判断する基準が記憶されている。異常マスク判断テーブル７８には、１列目に異常マスク、２列目に分析データに異常有りと判断する基準が記憶されている。
【００２３】
測定機構部１２は、検体吸引部６、試料作成部７、検出部８からなる。
検体吸引部６は、詳細は図示しないが、検体容器を保持する検体保持部、検体容器から血液を吸引するピペットなどからなる。
試料作成部７は、詳細は図示しないが、ピペットで吸引した血液に希釈液、溶血剤などを加えて測定用試料を作成する。
検出部８は、詳細は図示しないが、測定用試料に電流を流して測定用試料の電圧を測定する電気抵抗式検出部、測定用試料に光を照射して透過光量を測定する光学式検出部からなる。
なお、測定機構部１２としては公知のものが使用でき、例えば米国特許出願公開第２００２／００３４８２４号明細書に記載されているものが使用できる。
【００２４】
分析装置の動作
図２および図１３などを参照して、分析装置１の動作を説明する。図１３は分析装置１の動作を説明するフローチャートである。
使用者によって検体吸引部６に検体容器がセットされ、ディスプレイ２から検体番号が入力され、測定開始の指示がなされると（ステップＳ１）、検体吸引部６は検体容器から血液を吸引する（ステップＳ２）。
ディスプレイ２には、デフォルト画面表示部２８が機能することによって、図３に示すデフォルト画面が表示される（ステップＳ３）。
試料作成部７は検体吸引部６によって吸引された血液に希釈、溶血などの処理をすることによって測定用試料を作成して検出部８に注入する（ステップＳ４）。測定用試料としては、赤血球／血小板測定用試料と白血球／ヘモグロビン測定用試料が作成される。
検出部８は、赤血球／血小板測定用試料および白血球／ヘモグロビン測定用試料に電流を流して電圧を測定するとともに白血球／ヘモグロビン測定用試料に光を照射して透過光量を測定し、そのデータ（測定データ）を分析部２２に送信する（ステップＳ５）。
【００２５】
分析部２２は検出部８から送信された測定データを分析して分析データを算出する。異常判断部２４は、分析の際に分析データの異常の有無および種類を決定する（ステップＳ６）。
ここで、ステップＳ５およびＳ６について、図１４を参照してさらに説明する。図１４は分析部２２および異常判断部２４の動作を説明するフローチャートである。
ここでは、分析データの一例として白血球数および白血球数を得るために使用する粒度分布図を得る場合について説明する。
検出部８の電気抵抗式検出部は、白血球／ヘモグロビン測定用試料に電流を流し、このとき生じる電圧を増幅およびデジタル変換して分析部２２に送信する（ステップＳ２１）。
【００２６】
分析部２２は、ステップＳ２１で検出部８から送信されたデータ（測定データ）を受信して、図１５に示す粒度分布図を作成する（ステップＳ２２）。粒度分布図の作成方法としては公知の方法が使用でき、例えば特開平１−２２３３２９号明細書に記載のものを使用できる。図１５に示す粒度分布図において縦軸は粒子数を表し、横軸は粒子の大きさを表している。
分析部２２は、図１５に示す粒度分布図において、粒子の大きさが４５ｆＬの位置をＬＤ、粒子の大きさが３００ｆＬの位置をＵＤに設定する（ステップＳ２３）。図１６にこのときの粒度分布図を示す。
分析部２２は、図１６に示す粒度分布図において、ＬＤとＵＤの間の谷の位置を横軸の左方向から順にＴ１、Ｔ２に設定する（ステップＳ２４）。図１７にこのときの粒度分布図を示す。なお、粒度分布図において谷の位置が確定できない場合は、Ｔ１、Ｔ２が設定できないこととなる。
【００２７】
異常判断部２４は、粒度異常フラグを決定する（ステップＳ２５）。このとき、図１０に示す粒度異常フラグ判断テーブル７４を使用する。以下、ステップＳ２５について説明する。なお、粒度異常フラグは、分析部２２によって得られた分析データ（この例の場合は白血球についての粒度分布図）が、多数の血液を分析をした場合に得られる平均的な粒度分布図と比較して一定以上乖離している場合に決定される異常マークの一種である。
まず、異常判断部２４は、図１７に示す粒度分布図のＬＤの位置における粒子数が所定値を超えているか否かを判断する。超えていれば、粒度異常フラグとして粒度異常フラグ判断テーブル７４の１行目から「ＷＬ」を取得し、記憶する。
次に、異常判断部２４は、ＵＤの位置における粒子数が所定値を超えているか否かを判断する。超えていれば、粒度異常フラグとして粒度異常フラグ判断テーブル７４の２行目から「ＷＵ」を取得し、記憶する。
【００２８】
次に、異常判断部２４は、ステップＳ２４においてＴ１が設定できたか否かを判断する。設定できなければ、粒度異常フラグとして粒度異常フラグ判断テーブル７４の３行目から「Ｔ１」を取得し、記憶する。
次に、異常判断部２４は、ステップＳ２４においてＴ２が設定できたか否かを判断する。設定できなければ、粒度異常フラグとして粒度異常フラグ判断テーブル７４の４行目から「Ｔ２」を取得し、記憶する。
次に、異常判断部２４は、Ｔ１の位置における粒子数が所定値を超えているか否かを判断する。超えていれば、粒度異常フラグとして粒度異常フラグ判断テーブル７４の５行目から「Ｆ１」を取得し、記憶する。
次に、異常判断部２４は、Ｔ２の位置における粒子数が所定値を超えているか否かを判断する。超えていれば、粒度異常フラグとして粒度異常フラグ判断テーブル７４の６行目から「Ｆ２」を取得し、記憶する。
そして、異常判断部２４は、記憶した粒度異常フラグのうち最も優先順位の高いものを粒度異常フラグとして決定する。なお、優先順位は、「ＷＬ」、「ＷＵ」、「Ｔ１」、「Ｔ２」、「Ｆ１」、「Ｆ２」の順である。
以上が粒度異常フラグ決定のステップ（ステップＳ２５）である。
【００２９】
分析部２２は、図１７に示す粒度分布図のＬＤとＵＤの間にある粒子数を総計することにより白血球数を決定し、記憶する（ステップＳ２６）。
異常判断部２４は、異常フラグを決定する（ステップＳ２７）。このとき、図１１に示す異常フラグ判断テーブル７６を使用する。以下、ステップＳ２７について説明する。なお、異常フラグは、分析部２２によって得られた分析データ（この例の場合は白血球数）が、分析装置１の使用者があらかじめ設定した範囲外にある場合に決定される異常マークの一種である。
異常判断部２４は、白血球数が異常判定限界値内であるか否かを判断する。ここで、異常判定限界値とは分析装置１の使用者によって上限値と下限値が設定される値で、この範囲外である場合は再検査が必要であると使用者が判断する値である。例えば、この実施例では、異常判定限界値の下限値が３０００、上限値が１５０００と設定される。
白血球数が上限値を超えた場合、異常判断部２４は、異常フラグ判断テーブル７６の１行目から「＋」を取得し、記憶する。
白血球数が下限値未満の場合、異常判断部２４は、異常フラグ判断テーブル７６の２行目から「−」を取得し、記憶する。
【００３０】
次に、異常判断部２４は、異常マスクを決定する（ステップＳ２８）。このとき、図１２に示す異常マスク判断テーブル７８を使用する。以下、ステップＳ２８について説明する。
まず、異常判断部２４は、白血球数がディスプレイ２に表示可能な値以下であるか否かを判断する。この実施例においては、白血球数が９９９９９以下であれば表示可能である。白血球数が表示可能な値を超えている場合、異常判断部２４は、異常マスク判断テーブル７８の１行目から「＋＋＋＋」を取得し、記憶する。なお、この異常マスクは、分析データが所定範囲外にある場合に決定される異常マークの一種である。
次に、異常判断部２４は、所定時間内に分析部２２が検出部８から測定データを受信したか否かを判断する。受信していない場合、異常判断部２４は、異常マスク判断テーブルの２行目から「＊＊＊＊」を取得し、記憶する。なお、この異常マスクは、分析部２２が分析データを算出できなかった場合に決定される異常マークの一種である。
以上でステップＳ６が終了し、異常の有無および種類、すなわち、粒度異常フラグ、異常フラグ、異常マスクの有無および種類が決定される。
【００３１】
なお、赤血球数や血小板数などの分析データについても同様の方法で分析および異常の判断がなされる（ステップＳ５，Ｓ６）。
次に、異常表示部３２および分析データ表示部４０によって、異常マークおよび分析データの表示処理がなされる（ステップＳ７）。
まず、粒度異常フラグ表示部３４は、異常判断部２４に記憶されている粒度異常フラグを領域９０（図５参照）に表示するようディスプレイ２に指示する。
次に、異常フラグ表示部３６は、異常判断部２４に記憶されている異常フラグを領域９２に表示するようディスプレイ２に指示する。
次に、異常マスク表示部３８は、異常判断部２４に記憶されている異常マークを領域９４に表示するようディスプレイ２に指示する。
次に、分析データ表示部４０は、分析部２２に記憶されている分析データを領域９４に表示するようディスプレイ２に指示する。こととき、既に領域９４に異常マークが表示されている分析項目については分析データの表示は行わない（図５におけるＨＧＢ参照）。
【００３２】
選択待受領域設定部４２は、異常のある分析データについて選択待受領域９６，９８，１００（図６参照）を設定する（ステップＳ８）。
分析装置１の使用者がディスプレイ２から選択領域９６，９８，１００のいずれかの領域内にタッチすると、タッチされた選択領域に含まれている異常マークの説明文を表示するよう、説明表示部４４がディスプレイ２に指示する（ステップＳ９、Ｓ１０）。
以下、説明文の表示処理（ステップＳ９、Ｓ１０）について図１８に示すフローチャートを参照して説明する。
選択判断部４６は、使用者によってディスプレイ２からいずれかの選択領域がタッチされるとその選択領域の種類（９６，９８，１００）を説明文選択部５２に知らせる（ステップＳ４１）。
【００３３】
ここでは、選択領域９６がタッチされた場合について説明する。
説明文選択部５２は、ステップＳ４１で知らされた選択領域に含まれている粒度異常フラグに対応する説明文を図７に示す粒度異常フラグテーブル６６から抽出する（ステップＳ４２）。この例では、粒度異常フラグ「ＷＬ」に対応する２列目の説明文「ＷＬ：溶血不良、有核赤血球の出現、大型血小板の増加、血小板凝集、フィブリンの析出等」が抽出される。
次に、説明文選択部５２は、同じ選択領域に含まれている異常フラグに対応する説明文を図８に示す異常フラグテーブル６８から抽出する（ステップＳ４３）。この例では、異常フラグ「＋」に対応する説明文「＋＋＋＋：異常判定限界値の上限を超えた」が抽出される。
次に、説明文選択部５２は、同じ選択領域に含まれている異常マスクに対応する説明文を図９に示す異常マスクテーブル７０から抽出する（ステップＳ４４）。この例では異常マスクは選択領域９６内に含まれていないので、説明文の抽出は行われない。
【００３４】
枠表示領域判断部５０は、ステップＳ４１でタッチされた選択領域が図１９に破線で示す第１領域１０２内にあるか、第２領域１０４内にあるかを判断する。そして、タッチされた選択領域が第１領域１０２内の場合、説明文の表示領域を第２領域１０４内と決定し、タッチされた選択領域が第２領域１０４内の場合、説明文の表示領域を第１領域１０２内と決定する（ステップＳ４５）。
このようにすることで、分析データと説明文が重ならなくなり、分析装置１の使用者は分析データと、その分析データの異常内容を同時に確認することができるので非常に便利である。
フォント設定部５６は、ステップＳ４２〜Ｓ４４で抽出された説明文の文字数の総数から、説明文のフォント、説明文を表示する枠の大きさを決定する（Ｓ４６）。
枠表示部４８および説明文表示部５４は、ステップＳ４２〜Ｓ４６で決定された説明文およびそれを囲う枠をディスプレイ２に表示させる（ステップＳ４７）。このときの表示画面を図２０に示す。
また、図２１に選択領域９８がタッチされた場合、図２２に選択領域１００がタッチされた場合の表示画面を示す。
【００３５】
説明文が表示された状態で、ステップＳ４１でタッチされた選択領域がタッチされ続けていれば、そのまま説明文の表示を続ける。タッチが終了していれば、説明文の表示を終了する（ステップＳ４８，Ｓ４９）。すなわち、分析装置１の使用者は選択領域をタッチしている間だけ説明文を見ることができる。
なお、ステップＳ４１で一度選択領域がタッチされると、タッチを終了したあともそのまま説明文を表示し、もう一度同じ選択領域またはディスプレイ２上の任意の位置がタッチされるとその説明文の表示を終了するようにしてもよい。
【００３６】
この例では、説明文として、「ＷＬ：溶血不良、有核赤血球の出現、大型血小板の増加、血小板凝集、フィブリンの析出」など、すなわち、検体の異常状態を表示するよう構成しているが、図７に示す粒度異常分布データ６６の３列目の説明文、例えば「ＷＬ：血球の洗浄、塗抹標本の確認」など、すなわち、対処方法を表示するように構成してもよい。また、検体の異常状態と対処方法の両方を表示するよう構成してもよい。さらに、どちらの情報を表示するかを使用者が選択できるよう、表示説明文選択部６０を制御部１０に設けてもよい。
さらに、使用者による説明文の追加や修正が可能となるよう、表示テーブル記憶部６４に記憶されている各テーブルの編集を可能とする説明文作成部５８を制御部１０に設けてもよい。
さらに、分析データの印刷をプリンタ４で行う際に、一度表示された説明文も分析データとともに印刷するよう設定する印刷画面設定部６２を制御部１０に設けてもよい。
図２３に印刷結果の例を示す。この印刷結果によれば、使用者は取扱説明書を見なくても分析データの異常の内容を知ることができる。
【００３７】
分析装置１の他の構成例
上記実施例では、ディスプレイ２としてタッチパネル方式のディスプレイを使用したが、これに代えてＣＲＴやＬＣＤなどのディスプレイを表示手段１６として、キーボードやマウスを入力手段１４として使用することも可能である。
この場合、選択領域９６，９８，１００にカーソルを合わせたとき、または、カーソルを合わせてマウスをクリックしたときに、選択領域判断部４６が選択領域の種類（９６，９８，１００）を説明文選択部５２に知らせるよう制御部１０を構成してもよい。
また、上記実施例では、説明表示部４４が表示する説明は文章であったが、これに代えて、またはこれとともに図形や写真などを表示してもよい。
【００３８】
また、分析装置１は、制御部１０からの指示に応じて音声を出力する音声出力手段（図示せず）を備え、入力手段１４からの信号の入力に応じて分析データの異常の説明を音声として音声出力手段から出力させる音声出力部（図示せず）を制御部１０に設けてもよい。この場合、粒度異常フラグテーブル６６、異常フラグテーブル６８、異常マスクテーブル７０の２列目、３列目には、異常の説明を音声データにしたものを各異常マークと対応付けて記憶しておく。
これによって、分析装置の使用者は音声で分析データの異常内容を知ることができ、非常に便利である。
【００３９】
【発明の効果】
この発明によれば、分析データに異常がある場合に、分析装置の使用者が異常内容を容易かつ迅速に確認することができる分析装置が提供された。
【図面の簡単な説明】
【図１】この発明の分析装置を説明する斜視図である。
【図２】分析装置１の構成を説明するブロック図である。
【図３】表示画面の説明図である。
【図４】表示画面の説明図である。
【図５】表示画面の説明図である。
【図６】表示画面の説明図である。
【図７】粒度異常フラグテーブル６６の説明図である。
【図８】異常フラグテーブル６８の説明図である。
【図９】異常マスクテーブル７０の説明図である。
【図１０】粒度異常フラグ判断テーブル７４の説明図である。
【図１１】異常フラグ判断テーブル７６の説明図である。
【図１２】異常マスク判断テーブル７８の説明図である。
【図１３】分析装置１の動作を説明するフローチャートである。
【図１４】分析部２２および異常判断部２４の動作を説明するフローチャートである。
【図１５】分析部２２によって作成される粒度分布図である。
【図１６】分析の手順を説明するための粒度分布図である。
【図１７】分析の手順を説明するための粒度分布図である。
【図１８】表示処理を説明するためのフローチャートである。
【図１９】表示画面の説明図である。
【図２０】表示画面の説明図である。
【図２１】表示画面の説明図である。
【図２２】表示画面の説明図である。
【図２３】印刷画面の説明図である。
【符号の説明】
１  分析装置
２  ディスプレイ
４  プリンタ
６  検体吸引部
１００  容器収納ユニット
１０１  廃液容器
１０２  希釈液容器
１０３  溶血剤容器
【図１】
2004257740.tif 000003
【図２】
2004257740.tif 000004
【図３】
2004257740.tif 000005
【図４】
2004257740.tif 000006
【図５】
2004257740.tif 000007
【図６】
2004257740.tif 000008
【図７】
2004257740.tif 000009
【図８】
2004257740.tif 000010
【図９】
2004257740.tif 000011
【図１０】
2004257740.tif 000012
【図１１】
2004257740.tif 000013
【図１２】
2004257740.tif 000014
【図１３】
2004257740.tif 000015
【図１４】
2004257740.tif 000016
【図１５】
2004257740.tif 000017
【図１６】
2004257740.tif 000018
【図１７】
2004257740.tif 000019
【図１８】
2004257740.tif 000020
【図１９】
2004257740.tif 000021
【図２０】
2004257740.tif 000022
【図２１】
2004257740.tif 000023
【図２２】
2004257740.tif 000024
【図２３】
2004257740.tif 000025